(57)【特許請求の範囲】
【請求項１】
少なくとも画像データと文字データのいずれかを含む書籍型コンテンツから複数の文字フォントの大きさを抽出する手段と、抽出した文字フォントの大きさに基づき複数の階層からなる中間データファイルを生成する手段と、前記階層に従って前記中間データファイルを送信する手段とを備えた携帯サーバ部と、
前記中間データファイルを前記携帯サーバ部から受信され次第表示する携帯ビューワ部と、
を備えたことを特徴とする携帯電子ビューワシステム。
【請求項２】
携帯サーバ部によって実行される、
少なくとも画像データと文字データのいずれかを含む書籍型コンテンツから複数の文字フォントの大きさを抽出するステップと、
抽出した文字フォントの大きさに基づき複数の階層からなる中間データファイルを生成するステップと、
前記階層に従って前記中間データファイルを携帯ビューワに送信するステップと、
前記携帯ビューワ部によって実行される、前記中間データファイルを前記携帯サーバ部から受信され次第表示するステップと、
を備えたことを特徴とする書籍型コンテンツの電子的閲覧方法。
【発明の詳細な説明】
【０００１】
【発明の属する技術分野】
本発明は電子化された書籍型コンテンツを表示する携帯可能な携帯電子ビューワシステムに関する。
携帯型の表示装置は、液晶表示パネルの大画面化、廉価化に伴い実用化が進んでいる。一方、書籍、雑誌をはじめ、一般文書、写真など、コンテンツ自身も電子化が進み、電子装置で閲覧可能になりつつある。本発明によるシステムは、これらの電子化された書籍型コンテンツを、携帯可能な表示装置により簡単に閲覧するためのものである。以下の説明では、書籍、雑誌、一般文書、写真などのコンテンツを総称して書籍型コンテンツという。
【０００２】
【従来の技術】
電子化された文書を閲覧する携帯可能な従来のビューワとして、ＰＤＡ(Personal Digital Assistant)、携帯ビューワ、およびノートタイプ型のパソコンが知られている。
ＰＤＡおよび携帯型ビューワはパソコンの補完的な役割を担うものである。
【０００３】
図１は従来のＰＤＡを含むシステムの一例を示す図である。図において、ＰＤＡ１１にはパソコン１２および情報キオスク端末１３からのコンテンツが有線で供給される。
図２は従来のＰＤＡ１の構成例を示すブロック図である。図示のように、ＰＤＡの多くは、ＣＰＵ２１、バッテリ２２、表示パネル２３、表示メモリ２４、およびインターフェース２５を備えている。表示メモリ２４には文書コンテンツが記憶されて、その記憶内容が表示パネル２３に表示される。
【０００４】
ノート型パソコン(図示せず)は、携帯型のパソコンであり、ＣＰＵ、バッテリ、表示装置、記憶装置、入出力装置等を備えており、記憶装置に記憶された文書コンテンツをソフトウェアで作成されたビューワにより表示し、ユーザはこれを閲覧することが可能である。
一方、上記ビューワで表示される書籍型コンテンツは、一般に複数ページで構成されている。これらの複数ページの各々のページレイアウトも伝達すべき情報の一つであり、ビューワでレイアウトの再現が必要であった。従来、このようなビューワ表示を行うためのコンテンツフォーマットは、大別して、図３に示すような画像として保存するフォーマット（画像フォーマット）と、図４に示すようなレイアウト保持するフォーマット（レイアウト保存型フォーマット）の２種類があった。
【０００５】
図３に示す画像フォーマットは、コンテンツを、表示用メモリに展開される画像情報として保存するものである。一方、図４に示すレイアウト保存型フォーマットは、レイアウト情報、画像情報、テキスト情報をそれぞれ別にフォーマット内に保存しているものである。レイアウト保存型フォーマットは、画像メモリに展開するためにフォーマット変換処理が必要である。一方画像フォーマットの場合は、画像メモリへの展開は不要であるものの、データ容量が一般に大きくなる。
【０００６】
【発明が解決しようとする課題】
ノート型パソコンの場合、書籍閲覧以外のパソコンの機能を実現するために、表示機能以外に、入出力機器、インターフェースモジュール等の搭載が必要になる。そのため、他の２種の機器に比べて筺体サイズが大きくなり、携帯しながらの表示は難しいという問題がある。
【０００７】
ＰＤＡ機器の場合は、携帯性を優先させて表示機能以外の入出力機能はできるかぎり制限しているので筺体サイズは問題がないが、携帯可能なディスクの容量が限られているため、書籍型コンテンツを複数保存することは困難であるという問題がある。たとえば、一般的なＰＤＡで、搭載できる記憶装置の容量は、コンパクトフラッシュメモリを搭載の場合、現状では最大で約１００メガバイト程度であり、書籍であれば１冊程度しか収納できない。
【０００８】
本発明の目的は、上記従来技術における問題に鑑み、コンテンツ記憶部分を含む携帯サーバ部と表示を受け持つビューワ部とを分離し、両者を無線により接続するという構想に基づき、携帯性と大容量コンテンツの収容の両方の要求を満たすことが可能な携帯電子ビューワシステムを提供することにある。
【０００９】
【課題を解決するための手段】
上記の目的を達成するために、本発明の第一の態様により提供されるものは、画像と文字の少なくとも一方を含む書籍型コンテンツを格納可能且つ送受信可能なサーバ部と、該サーバ部から無線により送られてくる書籍型コンテンツをページ単位で表示するビューワ部とを備えたことを特徴とする携帯電子ビューワシステムである。
【００１０】
この第一の態様により、サーバ部に書籍型コンテンツを格納可能にしたので、ビューワ部の記憶機能を軽減でき、その結果として、ビューワ部の携帯性がよくなるとともに、廉価化が可能となる。
本発明の第二の態様によれば、上記第一の態様において、ビューワ部は、表示パネルに表示させるページ単位の情報を格納する表示メモリと、第一の無線インターフェースモジュールと、表示パネルおよび表示メモリに電力を供給する第一のバッテリとを備えており、サーバ部は、書籍型コンテンツを蓄積するディスクと、第二の無線インターフェースモジュールと、ページ単位の情報を作成する計算処理部と、ディスク、第二の無線インターフェースモジュール、および計算処理部に電力を供給するバッテリとを備えている。
【００１１】
この第二の態様により、無線の転送速度が１６Ｍｂｐｓ未満という低い値でも、ページ単位という少ない量の情報が作成されて携帯サーバ部からビューワ部に送られるので、閲覧者はビューワ部での表示における待ち時間を感じなくて済む。
本発明の第三の態様によれば、上記第二の態様において、サーバ部は、文書レイアウト情報、文書情報、文字情報、および画像情報のうちの少なくとも１つを有するデータファイルを、ページを１単位とした画像中の一部の情報で構成する中間データファイルに変換し、変換された中間データファイルを第二の無線インターフェースを用いてビューワ部に転送し、ビューワ部は、中間データファイルを表示用メモリに記述することによりページ単位の画像を表示するようにした。
【００１２】
この第三の態様により、データファイルよりも少ない情報量の中間データファイルを送受信するので、無線インターフェースの転送容量が少なくても、閲覧者はデータ表示のための待ち時間を感じなくて済む。
本発明の第四の態様によれば、画像と文字の少なくとも一方を含む書籍型コンテンツを格納可能で、ビューワ部に無線により前記書籍型コンテンツを送信するサーバ部が提供される。
【００１３】
この第四の態様により、サーバ部はビューワ部から分離されているので、サーバ部には大容量の書籍型コンテンツを格納可能である。
本発明の第五の態様によれば、サーバ部から無線により送られてくる、画像と文字の少なくとも一方を含む書籍型コンテンツをページ単位で表示するビューワ部が提供される。
【００１４】
この第五の態様により、ビューワ部はサーバ部から分離されているので、ビューワ部は軽量なもので済み、その結果、ビューワ部を携帯しながらの表示が容易になる。
【００１５】
【発明の実施の形態】
以下、本発明の実施の形態を図面によって説明する。
図５は本発明の第一の実施の形態による携帯電子ビューワシステムの構成を示す図である。
図において、このシステムは画像と文字の少なくとも一方を含む書籍型コンテンツを格納可能且つ送受信可能な携帯サーバ部５００と、携帯サーバ部５００から無線により送られてくる書籍型コンテンツをページ単位で表示するビューワ部５１０とを備えている。
【００１６】
携帯サーバ部５００は、携帯電話５３０、パソコン５４０、又は情報キオスク端末５５０との間で、画像と文字の少なくともいずれかを含む情報をやりとりする。ビューワ部５１０は、携帯サーバ部５００から無線で送られてくる情報をページ単位で表示する。
携帯サーバ部５００は、計算処理部５０１と、２．５インチ以下のハードディスクであるコンテンツ記憶部５０２と、無線インターフェース５０３と、外部機器とのインターフェース５０４と、携帯サーバ部５００に内蔵しても携帯サーバ部５００を持ち運び可能な程度の重量のバッテリ５０５とを備えている。この程度の重量のバッテリは２．５インチ以下のハードディスクを駆動するための電力を供給することが可能である。また、２．５インチ以下のハードディスクは書籍型コンテンツ等を記憶するのに十分な大記憶容量を持つ。２．５インチ以下のハードディスク５０２は小型なので携帯サーバ部５００に搭載しても携帯サーバ部の携帯性に支障をきたさない。したがって、携帯サーバ部５００は手持ちするには重過ぎるが、鞄の中に入れる等して持ち運び可能になっている。
【００１７】
ビューワ部５１０は、典型的にはフラットパネル型のビューワである表示パネル５１１と、表示メモリ５１２と、転送速度が１６Ｍｂｐｓ未満の無線インターフェースモジュール５１３と、ビューワ部５１０を手持ち可能にする程度の重量を持つバッテリ５１４と、計算処理部５１５とを備えている。無線接続により、携帯サーバ部５００からビューワ部５１０に必要コンテンツを送ることにより、ビューワ部５１０においてそのコンテンツを表示できるので、ビューワ部５１０に搭載される表示メモリ５１２としては固体メモリでよく、したがってビューワ部５１０の軽量化、廉価化が可能になる。これにより、ビューワ部５１０は手持ち可能となる。
【００１８】
しかしながら、無線インターフェースには転送容量に限界がある。このため、携行する携帯サーバ部５００からビューワ部５１０に対してコンテンツを無線インターフェース５０３および５１３を通して転送する場合、コンテンツ転送を行いながら瞬時にビューワ部５１０において画面を表示することは困難である。Bluetoothの規格では、データ転送レートは最大でも１０Ｍｂｐｓであり、低消費電力タイプの場合は、実効値で０．７５Ｍｂｐｓ程度である。データ転送レートを０．７５Ｍｂｐｓとして１００ページで７２メガバイトの書籍型コンテンツをそのまま転送した場合、図６に示すように所要転送時間としては約８秒という長時間が必要となる。
【００１９】
そこで本発明の第二の実施の形態により、上記所要転送時間を短縮するために、人間の書籍閲覧方法を考慮してコンテンツを階層化した中間データファイルを構成し、階層ごとに無線転送を行うようにした。
図７は人間の書籍閲覧方法を説明するための図である。図示のように、ページ単位の書籍を閲覧する場合、人間は、以下に例示するような複数の読み方をすると考えられる。
【００２０】
読み方１：書籍型コンテンツの全体を読む。
この読み方では、文章を目で追いながら読む。文字を読む場合、図７に示すように、一度に読める文字数は約３．２文字であり、視点の滞留時間が２５０ミリ秒、視点の移動時間が２５ミリ秒程度である。１ページあたりの文字数は１２００（Ｂ５）〜２６００（Ａ４）なので、この読み方で１ページあたりの文字を読むために必要な時間は、１００秒から２００秒である。
【００２１】
読み方２：書籍型コンテンツのタイトル部分、又は画像部分のみを見る。
この読み方では、文章の大見出しのみを読んだり、画像を見るなど、各ページの概要を把握するために閲覧をする場合である。たとえば、コンテンツが情報誌であれば、全体を見るのではなく、店舗名のみを参照する。例えばページ当たりの見出し語が２０字で５箇所あれば、この読み方でのページあたりの閲覧時間は８秒程度である。
【００２２】
読み方３：書籍型コンテンツの内容を把握せずに、ページ全体を概観する。
この読み方では、文書の意味を理解するのではなく、ページをめくりながら、コンテンツを概観する。例えば画像のみを見るとか、コラムか本文かといったページ構成等の参照のみを行う。この読み方では、視点は移動せずに１パタンを認識するだけなので、ページ当たりの閲覧時間は短く、例えば約０．２５秒程度である。
【００２３】
本発明の第二の実施の形態においては、上記の読み方の違いに着目して、文書コンテンツを文書の要素部分により階層化した中間データファイルを生成し、読み方に応じた画像転送を行うことにより、転送速度に制限のあるインターフェースを利用した場合でも瞬時表示を可能とした。即ち、ビューワ部５１０に階層順に画像を表示し、ユーザが恣意的に表示中断を行った位置で転送を中断し、次ページを転送することにより、ユーザは画像の転送における待ち時間を意識することなく、ページ送りが可能になる。
【００２４】
例えば、書籍型コンテンツから、文字情報（フォント情報）およびレイアウト情報を抽出し、フォントサイズによって、含まれる最大フォントサイズを検出し、最大フォントサイズに該当するテキスト情報を抽出して、レイアウト情報とともに第一の階層の画像データとする。
次に、ページ単位で構成された書籍型コンテンツから、画像情報を切り出し、第二の階層の画像データとする。
【００２５】
さらに、すべてのコンテンツ情報を第三の階層の画像データとする。
図８は本発明の第二の実施の形態による中間データファイルの構成方法の一例を説明する図である。図の下側に例示するように、１ページ分の画像イメージはタイトル１から３とそれらのタイトルの下の文字コンテンツからなる文字データと、画像データａおよびｂとからなっている。この画像イメージの書籍型コンテンツの構成情報は図の上側の左に示すように、文字データＡからＣと、画像データａおよびｂである。この書籍型コンテンツを中間データファイル化して、階層１から階層３の中間データファイルを作成する。各階層の中間データファイルはビューワ部５１０内の表示用メモリ５１２に展開可能な画像ファイルで構成される。階層１の中間データファイルはレイアウト情報とタイトル１から３の文字画像とからなっている。階層２の中間データファイルはレイアウト情報と画像データとからなっている。階層３の中間データファイルはレイアウト情報と全文のテキスト情報とからなっている。
【００２６】
例えば、ビューワサイズが８００×６００ドットで１０インチ、画像サイズが２５％、タイトル文字数５箇所１０文字（７２ｄｐｉでフォントサイズ１６ポイント）、ページ全文字数１２００で構成されるコンテンツがあった場合、第一の階層を転送するために３０キロビット、第二の階層を転送するために１８０キロビット、第三の階層を転送するために５４０キロビットの転送量となる。
【００２７】
中間データファイルは階層１から順次無線により携帯サーバ部５００からビューワ部５１０に転送され、ビューワ部５１０では各階層の中間データファイルが転送され次第表示メモリ５１２に展開される。即ち、まず階層１のデータが転送され、ビューワ部５１０で階層１の中間データファイルのみが表示メモリ５１２に展開され、表示パネル５１１に表示される。次に階層２の画像が転送され、表示メモリ５１２に書き込まれる。階層１の中間データファイルの表示は、前記の読み方３を具体化したものである。転送速度は、例えばBluetoothの実効転送速度では、０．０４秒程度で転送が可能である。閲覧者が、恣意的に改ページを行った場合、転送中の階層の転送途中で転送を中断し、次のページの転送過程を開始する。
【００２８】
このようにして、携帯サーバ部５００は、文書レイアウト、文書情報、文字情報、および画像情報のうちの少なくとも１つを有するデータファイルを、ページを１単位とした画像中の一部の情報で構成する中間データファイルに変換し、変換された中間データファイルを無線インターフェース５０３を用いてビューワ部５１０に転送し、ビューワ部５１０は、中間データファイルを表示メモリ５１２に記述することによりページ単位の画像を表示するようにした。これにより、データファイルよりも少ない情報量の中間データファイルを送受信するので、無線インターフェースの転送容量が少なくても、閲覧者はデータ表示のための待ち時間を感じなくて済む。
【００２９】
次に本発明の第三の実施の形態を説明する。この第三の実施の形態によれば、上記の階層化に際して、中間データファイルは、次に記載するように、原画像情報の文字情報を文字フォントの大きさにしたがって階層化することで構成し、より大きい文字を階層化した中間データファイルを優先的に転送するようにする。
図９は、本発明の第三の実施の形態により、文字の大きさによって階層化を行う方法を説明するフローチャートである。この方法は携帯サーバ部５００により実現される。図９において、ステップ９０１でｉを０に初期化し、ステップ９０２にてｉに１を加算し、ステップ９０３にて文字サイズＳの閾値Ｔｉを設定する。ここでｉは階層の番号であり、最大階層番号はＮとする。次にステップ９０４でハードディスクであるコンテンツ記憶部５０２から文書コンテンツを呼び出す。尚、本明細書においては文書コンテンツは前述の書籍型コンテンツを意味する。次に計算処理部である計算処理部５０１は、ステップ９０５で文字情報を参照して、文字サイズＳを抽出する。次にステップ９０６にて、文字サイズＳを閾値Ｔｉと比較し、Ｓ≧Ｔｉであればステップ９０７にて閾値以上のサイズを持つ文字のレイアウト情報（位置情報）を抽出する。次にステップ９０８にて、閾値以上のサイズを持つ文字のフォント情報とテキスト情報を抽出して画像化する。ステップ９０９の後にステップ９１０に進む。これにより、ステップ９０９にてｉ階層の中間データファイルが作成される。
【００３０】
ステップ９０６の判定で閾値Ｔｉ以上のサイズの文字が文書コンテンツ内に存在しない場合又はステップ９０９の後はステップ９１０に進み、ｉがＮでなければステップ９０２に戻ってｉをインクリメントしてステップ９０３から９０９を繰り返して次の階層を作成する。
ステップ９１０でＮ回終了したら、ステップ９１１にて残りの全てのデータを画像化し、ステップ９１２にて最終階層を作成する。ステップ９０９で作成されたｉ階層の中間データファイルとステップ９１３で作成された最終階層の中間データファイルはステップ９１３にて階層化ファイルとしてまとめられ、ステップ９１４にて携帯サーバ部５００内のコンテンツ記憶部５０２内に又はメモリ内に保存される。
【００３１】
図１０はビューワ部５１０における上記第三の実施の形態による階層化ファイルの閲覧方法を説明するフローチャートである。図において、ステップ１０１でビューワ部５１０から、ページの呼び出し信号を無線インターフェース５１３を通して送信することにより、改ページの要求を携帯サーバ部５００に対して行う。次にステップ１０２にて、携帯サーバ部５００がこの信号を受信すると、階層化ファイルが無線インターフェース５０３を通して送信され、ステップ１０３でビューワ部５１０はこれを受信する。ビューワ部５１０では、階層化ファイルを受信する毎にその階層化ファイルを表示メモリ５１２に記述する。階層２以降は、表示メモリ５１２に上書きされる。なお、表示メモリ５１２への記述はレイアウト情報で指定されたアドレスに対して行われる。ステップ１０４では階層ファイルを受信した順にレイアウト情報を抽出し、ステップ１０５では抽出したレイアウト情報で指定された位置に文字画像を表示する。
【００３２】
次に本発明の第四の実施の形態を説明する。第四の実施の形態によれば、上記中間データファイルは、カラー画像の中の緑エレメント用画像の階層と、緑以外のエレメントの画像の階層とを別の階層とすることにより作成する。この実施の形態は、人間の目には緑色の画像が最も注意を引きやすいという事実に基づいている。
【００３３】
図１１は本発明の上記第四の実施の形態による階層化ファイルの作成方法を説明するフローチャートである。図において、ステップ１１１で携帯サーバ５００内でコンテンツ記憶部５０２から文書コンテンツを呼び出し、ステップ１１２で文書コンテンツから画像データを抽出する。次にステップＳ１１３で画像データを赤、緑、青（Ｒ、Ｇ、Ｂ）成分に分解し、Ｇの画像データをその他の画像データから分離する。そして、ステップ１１４でＧの画像にＧ画像識別用コードを付与して階層化を作成する。次いでステップ１１５でＲおよびＢの画像にそれぞれＲ画像識別用コードとＢ画像識別用コードを付与して階層化する。そしてステップ１１６で階層化ファイルを作成し、ステップ１１７でコンテンツ記憶部５０２又はメモリ(図５には図示せず)に階層化ファイルを格納する。
【００３４】
図１２はビューワ部５１０における上記第四の実施の形態による階層化ファイルの閲覧方法を説明するフローチャートである。同図において、ステップ１２１からステップ１２３までは、図１０のステップ１０１から１０３までと同じなので、説明を省略する。ビューワ部５１０では、ステップ１２４で中間データファイルを受信する毎にその中間データファイルの受信順に色識別コードを抽出し、ステップ１２５にて表示メモリ５１２内の色識別コードに対応する表示メモリ５１２のアドレス（Ｇ画像なら緑表示用アドレス）に画像データを書き込む。２層目以降の画像は表示メモリ５１２において上書きされる。
【００３５】
この第四の実施の形態により、緑の画像を最初に表示する等することができるので、画像の全体像を待ち時間なく表示できる。
次に本発明の第五の実施の形態を説明する。第五の実施の形態によれば、上記中間データファイルとしては、画像部分と文字部分で異なった階層の中間データファイルを構成し、画像部分の中間データファイルを優先的に転送する。この実施の形態は、画像の方が文字よりも人目を引きやすいという事実に基づいている。
【００３６】
図１３は本発明の上記第五の実施の形態による階層化ファイルの作成方法を説明するフローチャートである。同図において、ステップ１３１で携帯サーバ５００内でコンテンツ記憶部５０２から文書コンテンツを呼び出し、ステップ１３２で文書コンテンツから画像データを抽出する。次にステップＳ１３３で画像データからレイアウト情報を抽出する。そしてステップ１３４にてこのレイアウト情報に画像識別用コードを付与して１つの階層の中間データファイルを作成する。次にステップ１３５にてコンテンツ記憶部５０２から文字データを抽出し、ステップ１３６にてそのレイアウト情報を抽出し、ステップ１３７でこのレイアオウト情報に文字識別用コードを付与して他の階層の中間データファイルを作成する。そしてステップ１３８にてそれぞれの階層の中間データファイルを統合して、階層化ファイルとして、ステップ１３９にて携帯サーバ部５００内のコンテンツ記憶部５０２又はメモリに保存する。
【００３７】
図１４はビューワ部５１０における上記第五の実施の形態による階層化ファイルの閲覧方法を説明するフローチャートである。同図において、図１２との相違点は図１２においては色識別コードを用いて表示メモリ５１２に書き込んだが、図１４においては画像と文字の識別コードを用いて表示メモリ５１２に書き込む点だけであるので、説明を省略する。
【００３８】
この第五の実施の形態により、コンテンツの閲覧方法に応じて、画像と文字のいずれかを先に表示することができるので、ビューワ部の利便性が向上する。
次に本発明の第六の実施の形態を説明する。第六の実施の形態によれば、ビューワ部５１０は、転送されてきた中間データファイルから一定間隔のアドレス毎に表示メモリ５１２に書き込む機能を有し、携帯サーバ部５００は、前記一定間隔と同じ間隔のアドレス毎にデータを階層化した中間データファイルを構成する。
【００３９】
図１５は本発明の上記第六の実施の形態による階層化ファイルの作成方法を説明するフローチャートである。図において、ステップ１５１で間引きの間隔Ｉｎｔを設定し、ステップ１５２で携帯サーバ５００内でコンテンツ記憶部５０２から文書コンテンツを呼び出し、ステップ１５３で計算処理部５０１により文書コンテンツを画像データに変換する。次にステップ１５４でアドレス＝Ｉｎｔ＊ｎ＋ｉ（ｉ＜Ｉｎｔ、ｎは０を含む自然数）毎に、画像データを抽出し、ステップ１５５で間隔Ｉｎｔ、オフセットｉについての画像データにより１つの階層の中間データファイルを作成する。次いでステップ１５６でｉがＩｎｔより小さいかを判定し、小さければｉをインクリメントしてステップ１５４と１５５を繰り返す。ステップ１５６の判定でｉがＩｎｔに等しくなると、ステップ１５７に進み、複数の階層の中間データファイルで階層ファイルを作成する。そして、ステップ１５８でこの階層ファイルをコンテンツ記憶部５０２又はメモリ（図５には図示せず）に格納する。
【００４０】
図１６はビューワ部５１０における上記第六の実施の形態による階層化ファイルの閲覧方法を説明するフローチャートである。同図において、ステップ１６１からステップ１６３までは、図１０のステップ１０１から１０３までと同じなので、説明を省略する。ビューワ部５１０では、ステップ１６４で中間データファイルを受信した順に画像メモリのＩｎｔ＊ｎ＋ｉ番目のアドレスにデータを上書きしていく。
【００４１】
図１７は上記第六の実施の形態において、Ｉｎｔ毎の間引き画像とその他の画像との２層とした場合の階層化ファイルの作成方法を説明するフローチャートである。図において、ステップ１７１から１７５までは、ｉを変更しない点を除き、図１５のステップ１５１から１５５と同じなので説明を省略する。ステップ１７５では、一定の間隔ｉｎｔ毎に間引いた画像データにより１つの階層の中間データファイルを作成する。ステップ１７６ではステップ１７５で階層化された画像以外の画像を階層化する。ステップ１７７ではこうして得られた２層の中間データファイルから階層化ファイルを作成し、ステップ１７７でその階層化ファイルをコンテンツ記憶部５０２又はメモリ(図５には図示せず)に記憶させる。
【００４２】
図１８は図１７のフローチャートにより作成された階層化ファイルの閲覧方法を説明するフローチャートである。同図において、ステップ１８１からステップ１８３までは、図１６のステップ１６１から１６３までと同じなので、説明を省略する。ビューワ部５１０では、ステップ１８４で、間引きしたデータを表示メモリ５１２のＩｎｔ＊ｎ＋ｉ番目のアドレスに書き込み、ステップ１８５では残りの画像データをＩｎｔ＊ｎ＋ｉ番目のアドレス以外のアドレスに上書きする。
【００４３】
この第六の実施の形態により、間引き表示を行うので、コンテンツの全体像を高速に表示できる。
次に本発明の第七の実施の形態を説明する。第七の実施の形態によれば、中間データファイルは、画像におけるジャギーを抑えるために諧調化されている文字情報を２値画像に変換することで構成し、ビューワ部５１０に文字諧調化処理機能を有し、２値画像を表示した後、諧調化して再表示する。
【００４４】
図１９は上記第七の実施の形態を説明するフローチャートである。図において、ステップ１９１でコンテンツ記憶部５０２等のコンテンツ記憶部から文書コンテンツを呼び出し、ステップ１９２で計算処理部５０１により文書コンテンツから文字データを抽出し、ステップ１９３で文書コンテンツからレイアウト情報を抽出し、ステップ１９４で諧調化されている文字データを２値化する。次にステップ１９５でレイアウト情報および２値データで階層データを作成する。次にステップ１９６では例えば２４ビットで諧調化した全コンテンツの画像を次の階層データとする。そして、ステップ１９７で２値の階層データと諧調化した階層データとで階層化ファイルを作成し、ステップ１９８でこの階層化ファイルをコンテンツ記憶部５０２等に記憶する。
【００４５】
諧調化されている文字データをそのままビューワ部５１０に送信するのでは、データ量が多いので長時間を要するが、２値化された文字データであればデータ量が少ないので短時間でビューワ部５１０に送ることが可能になる。
図２０は図１９のフローチャートにより作成された階層化ファイルの閲覧方法を説明するフローチャートである。図において、ステップ２０１ではビューワ部５１０から携帯サーバ部５００に対して、ページの呼び出し信号を無線インターフェース５１３を通して送信する（改ページの要求）。次にステップ２０２で携帯サーバ部５００の側では、同信号が受信されると、階層化ファイルが無線インターフェース５０３を通して送信される。ステップ２０３でビューワ部５１０がこの階層化ファイルを受信すると、ステップ２０４でまず２値画像を表示し、次にステップ２０５で諧調データを表示メモリ５１２に上書きしていく。これにより、ユーザは２値画像の表示を最初に見ることによりそのページの概略をいち早く知ることができる。
【００４６】
図２１は本発明の第八の実施の形態による携帯電子ビューワシステムの構成を示すブロック図である。同図において、図５に示した構成と同一のものには同一の参照番号を付してあり、ここでは説明を省略する。本実施の形態においては、携帯サーバ部２１０には圧縮処理部２１１とメモリ２１２が設けられており、ビューワ部２１３にはメモリ２１４と解凍処理部２１５が設けられている。
【００４７】
この第八の実施の形態によれば、ビューワ部２１３は圧縮データ解凍機能を有し、携帯サーバ部２１０で、ページを一単位とするページ画像をデータ圧縮し、圧縮された画像を転送した後、ビューワ部２１３で、転送されてきた圧縮画像を前記圧縮データ解凍機能により展開して表示するようにする。
図２２は上記第八の実施の形態による階層化ファイルの作成方法を説明するフローチャートである。同図において、大部分の処理は図９に示した第三の実施の形態と同じであり、同一のステップには同一の参照番号を付してあり、ここでは説明を省略する。本実施の形態においては、ステップ９１３で階層化ファイルを作成した後に、ステップ２２１にてこの階層化ファイルに対して圧縮処理部２１１により圧縮処理を行う。圧縮処理部２２１に代えて計算処理部５０１がこの圧縮処理を行ってもよい。圧縮された階層化ファイルはステップ９１４でコンテンツ記憶部５０２またはメモリ２１２に記憶される。
【００４８】
図２３は図２２のフローチャートにより作成された圧縮された階層化ファイルの閲覧方法を説明するフローチャートである。同図において、ステップ２３１からすテ２３３までは、圧縮された階層化ファイルが送受信されることを除き、図１０におけるステップ１０１からステップ１０３までと同じなので、ここでは説明を省略する。ビューワ部２１３は、ステップ２３４で圧縮された中間データファイルを受信した順にレイアウト情報を抽出し、ステップ２３５でデータ解凍処理をする。そして、ステップ２３６で、解凍した階層化ファイルを表示メモリ２１４に記述する。階層２以降の中間データファイルは、表示メモリ２１４に上書きされる。なお、表示メモリ２１４への記述はレイアウト情報で指定されたアドレスに対して行われる。ステップ２３６では抽出したレイアウト情報で指定された位置に文字画像を表示する。
【００４９】
この第八の実施の形態により、中間データファイルを圧縮して携帯サーバ部からビューワ部に送信するので、無線インターフェースの転送速度に制限があっても効率よくデータを転送できる。
次に本発明の第九の実施の形態を説明する。
図２４は本発明の第九の実施の形態による携帯電子ビューワシステムの構成を示すブロック図である。同図において、携帯サーバ２４０は複数(図においては３つ)の無線インターフェース２４１−１，２４１−２、および２４１−３と、コンテンツ記憶部２４２と、メモリ２４３と、計算処理部（ＣＰＵ）２４４とを備えている。ビューワ部２４５はやはり複数の無線インターフェース２４６−１，２４６−２，２４６−３と、表示パネル２４７と、表示メモリ２４８と、計算処理部（ＣＰＵ）２４９とを備えている。
【００５０】
この第九の実施の形態によれば、携帯サーバ部２４０は、ページを一単位としたページ画像で構成する中間データファイルを、無線インターフェースモジュール２４１−１〜２４１−３と同数の中間データファイルに分割した後、複数の無線インターフェースモジュール２４１−１〜２４１−３から、分割された中間データファイルの書き込み順にデータを転送し、ビューワ部２４５は、転送されてきた中間データファイルをデータ書き込み順にしたがって表示メモリ２４８に書き込むようにする。
【００５１】
図２５はこの第九の実施の形態による階層化ファイルの作成方法を説明するフローチャートである。同図において、ステップ２５１で文書コンテンツをコンテンツ記憶部２４２から呼び出し、ステップ２５２で１つの階層化ファイルを作成し、ステップ２５３で階層化ファイルをコンテンツ記憶部２４２又はメモリ２４３に格納する。別の階層化ファイルも図２５のフローチャートにしたがって作成する。
【００５２】
図２６は図２５のフローチャートにより作成された複数の階層化ファイルの閲覧方法を説明するフローチャートである。図において、ステップ２６１でビューワ部２４５から、複数のページ呼び出し信号を複数の無線インターフェース２４６−１〜２４６−３を通して送信することにより、複数の改ページの要求を携帯サーバ部２４０に対して並列に行う。ステップ２６２では、複数の改ページの要求を受けた携帯サーバ部２４９は、複数の無線インターフェース２４１−１〜２４１−３を通して複数の階層化ファイルを並列に発信する。各階層化ファイルは、前述の書く実施の形態におけるのと同様に、複数階層の中間データファイルからなっている。次いでステップ２６３ではビューワ部２４５はこの複数の階層化ファイルを受信し、ステップ２６４で複数の階層化ファイルを統合し、ステップ２６５で階層化ファイルをデータ書き込み順にしたがって表示メモリ２４８に書き込むようにする。
【００５３】
これにより、階層化ファイルを複数に分割して並列に転送できるので、転送速度を高くすることができる。
この実施の形態において、階層化ファイルは、コンテンツ記憶部２４２から呼び出された文書コンテンツを、データアドレスの先頭から順にインターフェース数に応じて物理的に分割し、それぞれを送信してもよい。
【００５４】
この第九の実施の形態によれば、複数の無線インターフェースを利用することにより、転送速度の制限による問題を回避できる。
次に本発明の第十の実施の形態を説明する。
図２７は第十の実施の形態による階層化ファイルの作成方法を説明するフローチャートであり、図２８は図２７のフローチャートにより作成された階層化ファイルの閲覧方法を説明するフローチャートである。
【００５５】
図２７に示すように、本発明実施の形態においては、図３に示したシステムにおけるビューワ部５１０にはステップ２７１にて固有の識別番号を設定し、ステップ２７２にて予め携帯サーバ部５００にこの識別番号を登録する。そして、ステップ２７３で文書コンテンツをコンテンツ記憶部５０２から呼び出し、ステップ２７４で各中間データファイルに識別番号を付与して階層化ファイルを作成し、ステップ２７５でこの階層化ファイルをコンテンツ記憶部５０２又はメモリに記憶する。この場合も、階層化ファイルは複数階層の中間データファイルからなっている。
【００５６】
閲覧に際しては、図２８に示すように、ステップ２８１でビューワ部５１０が改ページの要求をし、ステップ２８２で携帯サーバ５００は階層化ファイルを発信し、ステップ２８３でビューワ部５１０はこれを受信し、ステップ２８４で階層化ファイル中の中間データファイルから識別番号を取得する。そして、ステップ２８５で、ビューワ部５１０に送られてきた階層化ファイル中の中間データファイルの識別番号とビューワ部５１０が有する識別番号とが一致した場合に、表示メモリ５１２にその中間デーファイルのデータを記述する。
【００５７】
これにより、携帯サーバ部とビューワ部との間でのセキュリティが確保される。
なお、図２８のステップ２８５の判定で識別番号が不一致の場合はステップ２８７にて一部の階層の中間データファイルのみを表示するようにし、一致した場合にはじめて、より下層の中間データファイルを表示メモリ５１２に記述するようにしてもよい。これにより、識別番号を登録しているユーザに対してのみ全文字や画像を提供するようなサービスに適用できる。
【００５８】
次に本発明の第十一の実施の形態を説明する。
図２９は本発明の第十一の実施の形態による階層化ファイルの作成方法を説明するフローチャートである。同図において、ステップ２９１にてビューワ部５１０に識別番号を設定し、ステップ２９２にてビューワ部５１０から携帯サーバ部５００にこの識別番号を送信して携帯サーバ部５００にこの識別番号を登録する。次いでステップ２９３で携帯サーバ部５００は文書コンテンツをコンテンツ記憶部５０２から呼び出し、ステップ２９４で前記の各実施の形態における方法により計算処理部５０１で作成された階層化ファイル中の中間データファイルに上記識別番号を付与する。この階層化ファイルをステップ２９５でコンテンツ記憶部５０２に保存する。
【００５９】
図３０は上記第十一の実施の形態において、ビューワ部５１０がコンテンツの公開許可を与える場合の処理の流れを説明するフローチャートである。同図において、ステップ３０１でビューワ部５１０は公開許可信号とビューワの識別番号とを携帯サーバ部５００に発信する。次いでステップ３０２で、携帯サーバ部５００がこれらの信号を受信する。そしてステップ３０３で携帯サーバ部５００に登録されている識別番号と受信した識別番号とが一致したかどうかを判定する。一致すればステップ３０４にて階層ファイルに公開許可信号を付与し、ステップ３０５にてコンテンツ記憶部５０２に再記憶させる。不一致であればステップ３０６にて公開鍵を階層ファイルに付与せずに処理を終了する。
【００６０】
図３１は上記第十一の実施の形態において、携帯サーバ部が階層化ファイルを発信する処理の流れを説明するフローチャートである。
同図において、ステップ３１１にて任意のビューワ部は、ページの呼び出し信号とビューワ識別番号とを無線インターフェースを通して送信する(閲覧要求)。携帯サーバ部５００側では、同信号が受信されると、ステップ３１２にて該当する階層化ファイルの公開許可信号を抽出する。そしてステップ３１３でその階層化ファイルに公開許可信号が付与されているかどうかを判定する。公開許可信号が付与されていれば、ステップ３１４にて階層化ファイルを発信する。公開許可信号が付与されていない場合はステップ３１５にて携帯サーバ部５００に登録されている識別番号と受信した識別番号とを照合し、一致すればやはりステップ３１４にてその階層化ファイルを発信する。閲覧要求をしたビューワ部は無線インターフェースを通してこの階層化ファイルを受信する。ステップ３１５の判定で不一致であれば、ステップ３１６にて携帯サーバ部５００はその階層化ファイルの発信は行わない。
【００６１】
これにより、複数のビューワ部から携帯サーバ部５００にアクセスする場合に、ビューワ部の間に優先順位がつけられる。たとえば、携帯サーバ部とビューワ部とが同じ所有者である場合は、そのビューワ部の優先順位を最も高くする、等である。
次に本発明の第十二の実施の形態を説明する。
【００６２】
図３２は本発明の第十二の実施の形態による階層化ファイルの作成方法を説明するフローチャートである。この実施の形態を実現するシステムは図２１に示したものと同じである。同図において、ステップ３２１にてビューワ部２１３に識別番号を設定し、ステップ３２２にてビューワ部２１３から携帯サーバ部２１０にこの識別番号を送信して携帯サーバ部２１０にこの識別番号を登録する。次いでステップ３２３で携帯サーバ部２１０は文書コンテンツをコンテンツ記憶部５０２から呼び出し、ステップ３２４で前記の各実施の形態における方法により計算処理部５０１により階層化ファイルを作成する。次いでステップ３２５にてデータ圧縮を行い、ステップ３２６にて圧縮された階層化ファイルに上記識別番号を付与する。この階層化ファイルをステップ３２７でコンテンツ記憶部５０２に保存する。
【００６３】
図３３は図３２のフローチャートにより作成された圧縮された階層化ファイルの閲覧方法を説明するフローチャートである。同図において、ステップ３３１でビューワ部２１３から、ページの呼び出し信号を無線インターフェース５１３を通して送信することにより、改ページの要求を携帯サーバ部２１０に対して行う。次にステップ３３２にて、携帯サーバ部２１０がこの信号を受信すると、ステップ３３４で階層化ファイル中の中間データファイルから識別番号を取得し、ステップ３３５でビューワ部２１３が保持している登録番号と受信した階層化ファイルから抽出した識別番号とが一致するかどうかを判定し、一致した場合はステップ３３７でデータの解凍を行って、ステップ３３７で解凍した階層化ファイルを表示メモリ２１４に記述する。
【００６４】
この第十二の実施の形態により、表示可能なビューワを限定するので、セキュイティレベルが高くなる。
（付記１）画像と文字の少なくとも一方を含む情報をページ単位で持つコンテンツを送受信可能なサーバ部と、該サーバ部から送られてくる情報をページ単位で表示するビューワ部とを備えたことを特徴とする携帯電子ビューワシステム。
(付記２）前記ビューワ部は、前記書籍型コンテンツをページ単位で表示する表示パネルと、該表示パネルに表示させるページ単位の情報を格納する表示メモリと、第一の無線インターフェースモジュールと、前記表示パネルおよび前記表示メモリに電力を供給する第一のバッテリとを備えており、
前記サーバ部は、前記書籍型コンテンツを蓄積するディスクと、前記ビューワ部の第一の無線インターフェースモジュールとの間で無線通信をするための第二の無線インターフェースモジュールと、前記ディスクに蓄積された書籍型コンテンツからページ単位の情報を作成する計算処理部と、前記ディスク、前記第二の無線インターフェースモジュール、および前記計算処理部に電力を供給する第二のバッテリとを備えていることを特徴とする付記１記載の携帯電子ビューワシステム。
(付記３）前記サーバ部が備える前記計算処理部は、文書レイアウト、文書情報、文字情報、および画像情報のうちの少なくとも１つを有するデータファイルを、ページを１単位とした画像中の一部の情報で構成する中間データファイルに変換し、変換された中間データファイルを前記無線インターフェースを用いて前記ビューワ部に転送し、
前記ビューワ部は、前記中間データファイルを前記表示用メモリに記述することによりページ単位の画像を表示するようにしたことを特徴とする付記２記載の携帯電子ビューワシステム。
（付記４）画像と文字の少なくとも一方を含む書籍型コンテンツを格納可能で、ビューワ部に無線により前記書籍型コンテンツを送信するサーバ部。
（付記５）サーバ部から無線により送られてくる、画像と文字の少なくとも一方を含む書籍型コンテンツをページ単位で表示するビューワ部。
（付記６）前記中間データファイルは、複数の階層で構成され、画像転送時には前記中間データファイルを階層単位で順次転送し、前記ビューワ部は、転送されてきた中間でファイルから逐次前記表示メモリに記述するようにしたことを特徴とする付記２記載の携帯電子ビューワシステム。
（付記７）前記中間データファイルは、原画像情報の文字情報を文字フォントの大きさにしたがって階層化することで構成し、より大きい文字を階層化した中間データファイルを優先的に転送するようにしたことを特徴とする付記６記載の携帯電子ビューワシステム。
（付記８）前記中間データファイルは、カラー画像の中の緑エレメント用画像の階層と、緑以外のエレメントの画像の階層とを別の階層とすることにより作成するようにしたことを特徴とする付記６記載の携帯電子ビューワシステム。
（付記９）前記中間データファイルは、画像部分と文字部分で異なった階層を構成し、画像部分の階層の中間データファイルを優先的に転送するようにしたことを特徴とする付記６記載の携帯電子ビューワシステム。
（付記１０）前記ビューワ部は、転送されてきた中間データファイルから一定間隔のアドレス毎に前記表示メモリに書き込む機能を有し、前記携帯サーバ部は、前記一定間隔と同じ間隔のアドレス毎にデータを階層化した中間データファイルを構成するようにしたことを特徴とする付記６記載の携帯電子ビューワシステム。
（付記１１）前記中間データファイルは、文字情報を２値画像に変換することで構成し、前記ビューワ部に文字諧調化処理機能を有し、２値画像を表示した後、諧調化して再表示するようにしたことを特徴とする付記６記載の携帯電子ビューワシステム。
（付記１２）前記ビューワ部は圧縮データ解凍機能を有し、前記携帯サーバ部で、ページを一単位とするページ画像をデータ圧縮し、圧縮された画像を転送した後、前記ビューワ部で、転送されてきた圧縮画像を前記圧縮データ解凍機能により展開して表示するようにしたことを特徴とする付記１記載の携帯電子ビューワシステム。
（付記１３）前記ビューワ部は圧縮データ解凍機能を有し、前記携帯サーバ部で、ページを一単位とするページ画像を階層化した中間データファイルに対し、データ圧縮し、圧縮された中間データファイルを転送した後、前記ビューワ部で、転送されてきた圧縮画像を前記圧縮データ解凍機能により展開し、転送されてきた階層データから逐次表示するようにしたことを特徴とする付記１記載の携帯電子ビューワシステム。
（付記１４）前記携帯サーバ部と前記ビューワ部はそれぞれ、前記無線インターフェースモジュールを複数有し、前記携帯サーバ部は、ページを一単位としたページ画像で構成する中間データファイルを、前記無線インターフェースモジュールと同数の中間データファイルに分割した後、前記複数の無線インターフェースモジュールから、分割された中間データファイルと分割された中間データファイルの書き込み順を示すデータとを転送し、前記ビューワ部は、転送されてきた中間データファイルをデータ書き込み順にしたがって前記表示メモリに書き込むようにしたことを特徴とする付記３記載の携帯電子ビューワシステム。
（付記１５）前記ビューワ部は固有の識別番号を有し、予め前記携帯サーバ部にこの識別番号を登録し、中間データファイルにこの識別番号を記述し、前記ビューワ部に送られてきた中間データファイル中の識別番号と前記ビューワ部が有する識別番号とが一致した場合に前記表示メモリにデータを記述するようにしたことを特徴とする付記３記載の携帯電子ビューワシステム。
（付記１６）前記ビューワ部は固有の識別番号を有し、予め前記携帯サーバ部にこの識別番号を登録し、中間データファイルにこの識別番号を記述し、前記ビューワ部に送られてきた中間データファイル中の識別番号と前記ビューワ部が有する識別番号とが一致した場合に、より下層の階層データを前記表示メモリに記述するようにしたことを特徴とする付記６記載の携帯電子ビューワシステム。
（付記１７）前記ビューワ部から、前記携帯サーバ部に対し前記ビューワ部の識別番号よりなる信号を送信し、前記携帯サーバ部でこの信号を受信した場合に、登録されたビューワの識別番号と照合し、照合が合致した場合に、中間データファイルに公開用の信号を記述するようにしたことを特徴とする付記１５又は１６記載の携帯電子ビューワシステム。
（付記１８）前記ビューワ部は固有の識別番号を有し、予め前記携帯サーバ部にこの識別番号を登録し、中間データファイルにこの識別番号を記述し、前記ビューワ部に送られてきた中間データファイル中の識別番号と前記ビューワ部が保持する識別番号とが一致した場合に圧縮データを解凍するようにしたことを特徴とする付記１２又は１３記載の携帯電子ビューワシステム。
【００６５】
【発明の効果】
以上の説明から明らかなように、本発明によれば携帯性と大容量コンテンツの記憶を実現した携帯電子ビューワシステムが提供される。
【図面の簡単な説明】
【図１】従来のＰＤＡを含むシステムの一例を示す図である。
【図２】従来のＰＤＡの構成を示すブロック図である。
【図３】ページ画像フォーマットの一例を示す図である。
【図４】レイアウト保存フォーマットの一例を示す図である。
【図５】本発明の第一の実施の形態による携帯電子ビューワシステムの構成を示す図である。
【図６】１ページのコンテンツを携帯サーバ部からビューワ部に無線により転送する場合の所要時間を説明する図である。
【図７】人間の読み取り速度を説明する図である。
【図８】本発明の第二の実施の形態にる中間データファイルの構成方法の一例を説明する図である。
【図９】本発明の第三の実施の形態による階層化ファイルの作成方法を説明するフローチャートである。
【図１０】本発明の第三の実施の形態による階層化ファイルの閲覧方法を説明するフローチャートである。
【図１１】本発明の第四の実施の形態による階層化ファイルの作成方法を説明するフローチャートである。
【図１２】本発明の第四の実施の形態による階層化ファイルの閲覧方法を説明するフローチャートである。
【図１３】本発明の第五の実施の形態による階層化ファイルの作成方法を説明するフローチャートである。
【図１４】本発明の第五の実施の形態による階層化ファイルの閲覧方法を説明するフローチャートである。
【図１５】本発明の第六の実施の形態による階層化ファイルの作成方法を説明するフローチャートである。
【図１６】本発明の第六の実施の形態による階層化ファイルの閲覧方法を説明するフローチャートである。
【図１７】本発明の第六の実施の形態において間引き画像とその他の画像の２層とした場合の階層化ファイルの作成方法を説明するフローチャートである。
【図１８】図１７のフローチャートにより作成された階層化ファイルの閲覧方法を説明するフローチャートである。
【図１９】本発明の第七の実施の形態による階層化ファイルの作成方法を説明するフローチャートである。
【図２０】本発明の第七の実施の形態による階層化ファイルの閲覧方法を説明するフローチャートである。
【図２１】本発明の第八の実施の形態による携帯電子ビューワシステムの構成を示すブロック図である。
【図２２】本発明の第八の実施の形態による階層化ファイルの作成方法を説明するフローチャートである。
【図２３】本発明の第八の実施の形態による階層化ファイルの閲覧方法を説明するフローチャートである。
【図２４】本発明の第九の実施の形態による携帯電子ビューワシステムの構成を示すブロック図である。
【図２５】本発明の第九の実施の形態による階層化ファイルの作成方法を説明するフローチャートである。
【図２６】本発明の第九の実施の形態による階層化ファイルの閲覧方法を説明するフローチャートである。
【図２７】本発明の第十の実施の形態による階層化ファイルの作成方法を説明するフローチャートである。
【図２８】本発明の第十の実施の形態による階層化ファイルの閲覧方法を説明するフローチャートである。
【図２９】本発明の第十一の実施の形態による階層化ファイルの作成方法を説明するフローチャートである。
【図３０】本発明の第十一の実施の形態において、ビューワ部が公開許可を与える場合の処理の流れを説明するフローチャートである。
【図３１】本発明の第十一の実施の形態において、携帯サーバ部が階層化ファイルを発信する処理の流れを説明するフローチャートである。
【図３２】本発明の第十二の実施の形態による階層化ファイルの作成方法を説明するフローチャートである。
【図３３】本発明の第十二の実施の形態による階層化ファイルの閲覧方法を説明するフローチャートである。
【符号の説明】
５００…携帯サーバ部
５０１…計算処理部
５０２…コンテンツ記憶部
５０３…無線インターフェース（無線インターフェースモジュール）
５０５…バッテリ
５１０…ビューワ部
５１１…表示パネル
５１２…表示メモリ
５１３…無線インターフェース（無線インターフェースモジュール）
５１４…バッテリ
２１０…携帯サーバ部
２１１…圧縮処理部
２１２…メモリ
２１３…表示パネル
２１４…表示メモリ
２１５…解凍処理部
２４１−１〜２４１−３…無線インターフェース（無線インターフェースモジュール）
２４２…コンテンツ記憶部
２４３…メモリ
２４４…計算処理部
２４６−１〜２４６−３…ワイヤレス無線インターフェース（無線インターフェースモジュール）
２４７…表示パネル
２４９…計算処理部
【図１】
0004293721.tif 000002
【図２】
0004293721.tif 000003
【図３】
0004293721.tif 000004
【図４】
0004293721.tif 000005
【図５】
0004293721.tif 000006
【図６】
0004293721.tif 000007
【図７】
0004293721.tif 000008
【図８】
0004293721.tif 000009
【図９】
0004293721.tif 000010
【図１０】
0004293721.tif 000011
【図１１】
0004293721.tif 000012
【図１２】
0004293721.tif 000013
【図１３】
0004293721.tif 000014
【図１４】
0004293721.tif 000015
【図１５】
0004293721.tif 000016
【図１６】
0004293721.tif 000017
【図１７】
0004293721.tif 000018
【図１８】
0004293721.tif 000019
【図１９】
0004293721.tif 000020
【図２０】
0004293721.tif 000021
【図２１】
0004293721.tif 000022
【図２２】
0004293721.tif 000023
【図２３】
0004293721.tif 000024
【図２４】
0004293721.tif 000025
【図２５】
0004293721.tif 000026
【図２６】
0004293721.tif 000027
【図２７】
0004293721.tif 000028
【図２８】
0004293721.tif 000029
【図２９】
0004293721.tif 000030
【図３０】
0004293721.tif 000031
【図３１】
0004293721.tif 000032
【図３２】
0004293721.tif 000033
【図３３】
0004293721.tif 000034